(57)【要約】【課題】スカートガードとの間に挟まれた異物を容易に引き抜くことができるエスカレータの踏段を得る。【解決手段】踏面１１０が形成された踏面部１１１を有し、側面がスカートガード４に対向しながら移動する踏段本体１と、踏面部１１１とスカートガード４との間に配置されるように踏段本体１に支持され、踏面１１０の縦方向に延びた軸部材２２と、軸部材２２に設けられ、軸部材２２を中心に回転する円筒形状のブラシ２３とを備え、ブラシ２３は、軸部材２２よりもスカートガード４側にあるブラシ２３の部分が軸部材２２の上方を通って軸部材２２よりも踏面部１１１側の位置に移動する方向にのみ回転する。【選択図】図４
2012184039.tif 000002
【特許請求の範囲】
【請求項１】
踏面が形成された踏面部を有し、側面がスカートガードに対向しながら移動する踏段本体と、
前記踏面部と前記スカートガードとの間に配置されるように前記踏段本体に支持され、前記踏面の縦方向に延びた軸部材と、
前記軸部材に設けられ、前記軸部材を中心に回転する回転部材とを備えたことを特徴とするエスカレータの踏段。
【請求項２】
前記回転部材は、前記軸部材よりも前記スカートガード側にある前記回転部材の部分が前記軸部材の上方を通って前記軸部材よりも前記踏面部側の位置に移動する方向にのみ回転することを特徴とする請求項１に記載のエスカレータの踏段。
【請求項３】
前記回転部材は、円筒形状のブラシであることを特徴とする請求項１または請求項２に記載のエスカレータの踏段。
【請求項４】
前記回転部材は、前記踏段本体に対して着脱可能となっていることを特徴とする請求項１ないし請求項３の何れか１項に記載のエスカレータの踏段。
【請求項５】
前記回転部材は、前記スカートガードから離れて配置されていることを特徴とする請求項１ないし請求項４の何れか１項に記載のエスカレータの踏段。
【発明の詳細な説明】
【技術分野】
【０００１】
この発明は、乗降口間を循環移動するエスカレータの踏段に関する。
【背景技術】
【０００２】
従来、踏板を有し、側面がスカートガードに対向しながら移動する踏段本体と、踏板の側面に固定され、踏板の側面からスカートガードに向かって延びたブラシとを備えたエスカレータの踏段が知られている。ブラシは、異物が踏段本体とスカートガードとの間に上方から進入することを抑制する。これにより、踏段本体とスカートガードとの間に異物が挟まれることが抑制される（例えば、特許文献１参照）。
【先行技術文献】
【特許文献】
【０００３】
【特許文献１】特開２００８−４４７２０号公報
【発明の概要】
【発明が解決しようとする課題】
【０００４】
しかしながら、ブラシが踏板の側面に固定されているので、ブラシとスカートガードとの間に異物が挟まれた場合に、ブラシとスカートガードとの間から異物を上方へ引き抜くには大きな力が必要となってしまうという問題点があった。
【０００５】
この発明は、スカートガードとの間に挟まれた異物を容易に引き抜くことができるエスカレータの踏段を提供するものである。
【課題を解決するための手段】
【０００６】
この発明に係るエスカレータの踏段は、踏面が形成された踏面部を有し、側面がスカートガードに対向しながら移動する踏段本体と、前記踏面部と前記スカートガードとの間に配置されるように前記踏段本体に支持され、前記踏面の縦方向に延びた軸部材と、前記軸部材に設けられ、前記軸部材を中心に回転する回転部材とを備えている。
【発明の効果】
【０００７】
この発明に係るエスカレータの踏段によれば、踏面が形成された踏面部を有し、側面がスカートガードに対向しながら移動する踏段本体と、踏面部とスカートガードとの間に配置されるように踏段本体に支持され、踏面の縦方向に延びた軸部材と、軸部材に設けられ、軸部材を中心に回転する回転部材とを備えているので、回転部材とスカートガードとの間に異物が挟まれた場合に、回転部材とスカートガードとの間に挟まれた異物を乗客が引き抜こうとすると、異物が引き抜かれる方向に回転部材が回転する。これにより、エスカレータの踏段とスカートガードとの間に挟まれた異物を容易に引き抜くことができる。
【図面の簡単な説明】
【０００８】
【図１】この発明の実施の形態１に係るエスカレータの踏段を示す側面図である。
【図２】図１のエスカレータの踏段を示す平面図である。
【図３】図２のＩＩＩ−ＩＩＩ線に沿った矢視断面図である。
【図４】図３のエスカレータの踏段がスカートガードに沿って移動する様子を示す断面図である。
【図５】図３のデマケーション部材を示す側面図である。
【図６】エスカレータの踏段とスカートガードとの間に乗客のスカートが挟まった状態を示す正面図である。
【図７】乗客の足がブラシに載った状態を示す正面図である。
【発明を実施するための形態】
【０００９】
実施の形態１．
図１はこの発明の実施の形態１に係るエスカレータの踏段を示す側面図、図２は図１のエスカレータの踏段を示す平面図、図３は図２のＩＩＩ−ＩＩＩ線に沿った矢視断面図である。図において、エスカレータの踏段は、踏段本体１と、踏段本体１の幅方向両端部であって踏段本体１の上部に設けられた一対のデマケーション部材２と、踏段本体１の下部に設けられた一対の追従ローラ３とを備えている。
【００１０】
踏段本体１は、踏板１１と、踏板１１の後段側端部に設けられたライザ１２と、踏板１１およびライザ１２に接続されたブラケット１３とを有している。踏板１１は、踏面１１０が形成された踏面部１１１と、踏面部１１１の両側面に形成され各デマケーション部材２を支持する一対のデマケーション部材支持部１１２とを有している。踏面部１１１は、一対のデマケーション部材２の間に配置されている。
【００１１】
踏面１１０には、踏段本体１が乗降口にあるときに、乗降口のランディングプレート（図示せず）に取り付けられている櫛板（図示せず）と噛み合う複数本の溝１１３が形成されている。溝１１３は、踏面１１０の縦方向に延びて形成されている。なお、この例では、踏面１１０の縦方向とは、踏面１１０の幅方向に直交する方向であって、踏面１１０に水平な方向とする。また、溝１１３は、踏面１１０の幅方向について等間隔に並べて配置されている。
【００１２】
図４は図３のエスカレータの踏段がスカートガード４に沿って移動する様子を示す断面図、図５は図３のデマケーション部材２を示す側面図である。デマケーション部材２は、デマケーション部材支持部１１２に支持されたブラシ台２１と、ブラシ台２１に回転自在に支持された軸部材２２と、軸部材２２に設けられた円筒形状のブラシ（回転部材）２３と、ブラシ２３の回転を規制するラチェット装置２４とを有している。ブラシ台２１は、ボルト（図示せず）を用いて踏板１１に対して着脱可能となっている。ブラシ台２１を踏板１１に着脱することにより、デマケーション部材２全体が踏板１１に対して着脱される。したがって、デマケーション部材２のみを交換することができる。
【００１３】
ブラシ台２１は、デマケーション部材支持部１１２の上に載せられた基部２１１と、基部２１１から上方に延びて踏面部１１１の側面に隣り合う側壁部２１２と、基部２１１から上方に延びて軸部材２２を回転自在に支持する一対の軸部材支持部２１３とを有している。軸部材支持部２１３は、基部２１１における踏面１１０の縦方向についての両端部に配置されている。側壁部２１２および軸部材支持部２１３のそれぞれの上端面は、踏面１１０と同一平面上に配置されている。側壁部２１２および軸部材支持部２１３は、基部２１１に固定されている。基部２１１には、上方に開口した凹部２１４が形成されている。基部２１１とスカートガード４との間の距離は、デマケーション部材支持部１１２とスカートガード４との間の距離と同一となっている。
【００１４】
軸部材２２は、ブラシ台２１を介して踏段本体１に支持されている。軸部材２２は、踏面１１０の縦方向に延びて配置されている。軸部材２２は、踏面部１１１とスカートガード４との間に配置されている。軸部材２２は、ブラシ台２１に対して着脱可能となっている。軸部材２２をブラシ台２１に着脱することにより、ブラシ２３も同時にブラシ台２１に対して着脱される。したがって、軸部材２２およびブラシ２３のみを交換することができる。
【００１５】
ブラシ２３は、ブラシ２３の中心を軸部材２２が通るように、軸部材２２に固定されている。ブラシ２３は、踏面部１１１とスカートガード４との間に配置されている。ブラシ２３の毛は、軸部材２２を中心に放射状に延びている。ブラシ２３は、軸部材２２およびブラシ台２１を介して、踏段本体１に回転可能に支持されている。ブラシ２３は、軸部材２２が回転することにより、軸部材２２を中心に回転する。
【００１６】
ブラシ２３は、ブラシ２３の上部が踏面１１０よりも上方に位置するように配置されている。ブラシ２３は、踏面１１０よりも上方に位置するブラシ２３の部分が下方に押圧された場合に踏面１１０よりも下方に位置するように容易に弾性変形するようになっている。ブラシ２３は、基部２１１およびデマケーション部材支持部１１２とスカートガード４との間の距離がブラシ２３とスカートガード４との間の距離よりも僅かに大きくなるように配置されている。ブラシ２３は、スカートガード４から離れて配置されている。つまり、ブラシ２３は、スカートガード４と非接触となっている。
【００１７】
ラチェット装置２４は、軸部材２２に固定されたラチェット歯車２４１と、基部２１１に設けられラチェット歯車２４１と係合するラチェット爪２４２と、凹部２１４に収容されたスプリング２４３とを有している。
【００１８】
ラチェット爪２４２は、ラチェット歯車２４１と係合可能となる係合可能位置と、ラチェット歯車２４１との係合が不能となる係合不能位置との間で変位する。スプリング２４３は、ラチェット爪２４２の位置が係合可能位置となるように、ラチェット爪２４２を付勢する。
【００１９】
係合可能位置にあるラチェット爪２４２は、軸部材２２よりも下方にあるラチェット歯車２４１の部分が軸部材２２よりも踏面部１１１側の領域を通って軸部材２２よりも上方の位置に移動する方向にラチェット歯車２４１が回転しようとする場合に、ラチェット歯車２４１と係合する。ラチェット爪２４２がラチェット歯車２４１と係合することにより、ラチェット歯車２４１の回転が防止される。これにより、軸部材２２よりもスカートガード４側にあるブラシ２３の部分が軸部材２２の下方を通って軸部材２２よりも踏面部１１１側の位置に移動する方向にブラシ２３が回転することが規制される。
【００２０】
一方、ラチェット爪２４２は、軸部材２２よりも下方にあるラチェット歯車２４１の部分が軸部材２２よりもスカートガード４側の領域を通って軸部材２２よりも上方の位置に移動する方向にラチェット歯車２４１が回転しようとする場合に、ラチェット歯車２４１と係合しない。この場合、ラチェット歯車２４１は、スプリング２４３の付勢力に逆らって、ラチェット爪２４２を下方へ押圧する。したがって、ラチェット爪２４２の位置が係合不能位置となり、ラチェット歯車２４１が回転可能となる。これにより、軸部材２２よりもスカートガード４側にあるブラシ２３の部分が軸部材２２の上方を通って軸部材２２よりも踏面部１１１側の位置に移動する方向、つまり、図４の矢印Ａの方向にブラシ２３が回転可能となる。ラチェット爪２４２は、ラチェット歯車２４１による下方への押圧力がなくなると、スプリング２４３の付勢力により上方へ移動して、ラチェット歯車２４１の位置が係合可能位置となる。
【００２１】
次に、動作について説明する。図６はエスカレータの踏段とスカートガード４との間に乗客のスカートが挟まった状態を示す正面図である。エスカレータを利用する乗客は、移動手摺（図示せず）を把持しようとして、踏段の踏面１１０の幅方向端部に乗る。エスカレータが上昇運転中に、例えば、乗客のスカートがブラシ２３とスカートガード４との間に進入すると、乗客のスカートがブラシ２３とスカートガード４との間に挟まれる。このとき、乗客は、自分のスカートをブラシ２３とスカートガード４との間から引き抜こうと、スカートを上方に持ち上げる。
【００２２】
乗客のスカートへの引き抜き力により、ブラシ２３は、ブラシ２３のスカートガード４側の部分が軸部材２２の上方を通って軸部材２２よりも踏面部１１１側の位置に移動する方向に回転する。これにより、乗客は、自分のスカートをブラシ２３とスカートガード４との間から容易に引き抜くことができる。
【００２３】
図７は乗客の足がブラシ２３に載った状態を示す正面図である。乗客の靴がブラシ２３の上に載った場合には、ブラシ２３が弾性変形する。これにより、ブラシ２３の上に載っている乗客の靴の部分が踏面１１０よりも下方へ移動する。これにより、乗客に対して、踏段の幅方向端部に乗客の靴が載せられていることについての注意喚起を行うことができる。したがって、乗客は、自分の靴を踏段の幅方向端部から幅方向中央部に向かって移動させる。その結果、踏段とスカートガード４との間に靴が挟まれてしまうことを予防することができる。
【００２４】
以上説明したように、この発明の実施の形態１に係るエスカレータの踏段によれば、踏面１１０が形成された踏面部１１１を有し、側面がスカートガード４に対向しながら移動する踏段本体１と、踏面部１１１とスカートガード４との間に配置されるように踏段本体１に支持され、踏面１１０の縦方向に延びた軸部材２２と、軸部材２２に設けられ、軸部材２２を中心に回転するブラシ２３とを備えているので、ブラシ２３とスカートガード４との間に異物が挟まれた場合に、ブラシ２３とスカートガード４との間に挟まれた異物を乗客が引き抜こうとすると、異物が引き抜かれる方向にブラシ２３が回転する。これにより、エスカレータの踏段とスカートガード４との間に挟まれた異物を容易に引き抜くことができる。
【００２５】
また、ブラシ２３は、軸部材２２よりもスカートガード４側にあるブラシ２３の部分が軸部材２２の上方を通って軸部材２２よりも踏面部１１１側の位置に移動する方向にのみ回転するので、異物がブラシ２３とスカートガード４との間に引き込まれる方向にブラシ２３が回転することが防止される。その結果、ブラシ２３とスカートガード４との間に乗客のスカート等の異物が挟まることをさらに抑制することができる。
【００２６】
また、円筒形状のブラシ２３が、軸部材２２に設けられて、軸部材２２を中心に回転するので、乗降口のランディングプレートや櫛板を変更する必要がなく、従来のエスカレータに簡単に適用することができる。また、乗客の靴がブラシ２３の上に載った場合には、ブラシ２３が弾性変形して、乗客に対して、踏段の幅方向端部に乗客の靴が載せられていることについての注意喚起を行うことができる。
【００２７】
また、ブラシ２３は、踏段本体１に対して着脱可能となっているので、ブラシ２３の長期間の使用によりブラシ２３が消耗した場合に、踏段本体１を交換することなく、ブラシ２３を交換することができる。これにより、エスカレータの踏段の保守の作業性や経済性を向上させ、また、省資源化を図ることができる。
【００２８】
また、ブラシ２３は、スカートガード４から離れて配置されているので、ブラシ２３がスカートガード４に接触することが防止される。これにより、ブラシ２３がスカートガード４に接触することにより発生する摺動音の発生を防止することができる。
【００２９】
なお、上記実施の形態１では、回転部材として、ブラシ２３を例に説明したが、ブラシ２３に限らず、その他の部材であってもよい。回転部材として、スポンジ等の弾性部材を用いる場合には、ランディングプレートや櫛板を変形させる必要がない。
【００３０】
また、上記実施の形態１では、デマケーション部材支持部１１２にブラシ台２１が支持される構成について説明したが、デマケーション部材支持部１１２を削除して、踏面部１１１にブラシ台２１を固定する構成であってもよい。
【００３１】
また、上記実施の形態１では、ブラシ２３の回転を規制するラチェット装置２４を備えたエスカレータの踏段の構成について説明したが、ラチェット装置２４を備えなくてもよい。また、ラチェット装置２４に限らず、その他の装置により、ブラシ２３の回転を規制してもよい。
【符号の説明】
【００３２】
１  踏段本体、２  デマケーション部材、３  追従ローラ、４  スカートガード、１１  踏板、１２  ライザ、１３  ブラケット、２１  ブラシ台、２２  軸部材、２３  ブラシ（回転部材）、２４  ラチェット装置、１１０  踏面、１１１  踏面部、１１２  デマケーション部材支持部、１１３  溝、２１１  基部、２１２  側壁部、２１３  軸部材支持部、２１４  凹部、２４１  ラチェット歯車、２４２  ラチェット爪、２４３  スプリング。
【図１】
2012184039.tif 000003
【図２】
2012184039.tif 000004
【図３】
2012184039.tif 000005
【図４】
2012184039.tif 000006
【図５】
2012184039.tif 000007
【図６】
2012184039.tif 000008
【図７】
2012184039.tif 000009